(57)【特許請求の範囲】
【請求項１】
利用者のＩＤ情報を読み取る情報読取端末装置と、
前記情報読取端末装置によって読み取られた前記ＩＤ情報を照合し、事前に登録されているＩＤ情報か否かを判定する登録ＩＤ管理処理部、乗り場へ入場する利用者を判定する入場者判定処理部、乗り場から退場する利用者を判定する退場者判定処理部、及び前記ＩＤ情報を基に行き先階登録情報及び利用者の入場／退場情報を含むサービス要求をエレベータ側へ送信するサービス要求送信部を有するセキュリティシステムと、
前記サービス要求に対して、複数台のエレベータの中から最適なエレベータを選択し、エレベータの運行管理を実施する群管理制御部と、
を備えるエレベータ装置であって、
前記群管理制御部は、
前記サービス要求送信部によって送信される前記行き先階登録情報に基づいて出発階／行き先階別に利用者の人数を集計し、前記入場／退場情報に基づいて、入場者と判定した場合は利用者人数分加算し、退場者と判定した場合は利用者人数分減算する利用人数統計処理部と、
前記利用人数統計処理部の処理により前記出発階または前記行き先階に関する前記利用者人数が０となったときに、当該行き先階の登録またはその呼び登録をキャンセルする行き先呼びキャンセル対象判定処理部と、を有し、
前記行き先呼びキャンセル対象判定処理部は、前記呼び登録に対して割り当てられたエレベータが行き先階呼びの出発階へ応答中であるとき、前記行き先階の登録をキャンセルし、前記呼び登録に対して割り当てられたエレベータが行き先階呼びの出発階へ応答中でないとき、前記呼び登録をキャンセルする
ことを特徴とするエレベータ装置。
【請求項２】
前記情報読取端末装置は、前記乗り場と同じフロアに設けられている前記乗り場以外の場所の入り口近傍に配置されており、
前記退場者判定処理部は、前記乗り場以外の場所へ入場する利用者を前記乗り場からの退場者として判定する
ことを特徴とする請求項１に記載のエレベータ装置。
【請求項３】
利用者のＩＤ情報を読み取る情報読取端末装置、前記情報読取端末装置によって読み取られた前記ＩＤ情報を照合し、事前に登録されているＩＤ情報か否かを判定する登録ＩＤ管理処理部、乗り場へ入場する利用者を判定する入場者判定処理部、乗り場から退場する利用者を判定する退場者判定処理部、及び前記ＩＤ情報を基に行き先階登録情報及び利用者の入場／退場情報を含むサービス要求をエレベータ側へ送信するサービス要求送信部を有するセキュリティシステムと、
前記サービス要求に対して、複数台のエレベータの中から最適なエレベータを選択し、エレベータの運行管理を実施する群管理制御部と、
を備えるエレベータ装置の制御方法であって、
前記サービス要求送信部によって送信される前記行き先階登録情報に基づいて出発階／行き先階別に利用者の人数を集計し、前記入場／退場情報に基づいて、入場者と判定した場合は利用者人数分加算し、退場者と判定した場合は利用者人数分減算する利用人数統計処理と、
前記利用人数統計処理により前記出発階または前記行き先階に関する前記利用者人数が
０となったときに当該行き先階の登録またはその呼び登録をキャンセルする行き先呼びキャンセル対象判定処理と、を実行し、
前記行き先呼びキャンセル対象判定処理では、前記呼び登録に対して割り当てられたエレベータが行き先階呼びの出発階へ応答中であるとき、前記行き先階の登録をキャンセルし、前記呼び登録に対して割り当てられたエレベータが行き先階呼びの出発階へ応答中でないとき、前記呼び登録をキャンセルする
ことを特徴とするエレベータ装置の制御方法。
【発明の詳細な説明】
【技術分野】
【０００１】
本発明は、エレベータ装置及びエレベータ装置の制御方法に関し、特にセキュリティシステムを備えた群管理エレベータ装置及びその制御方法に関する。
【背景技術】
【０００２】
複数台のエレベータを一括管理する群管理エレベータ装置において、乗り場の出入口にゲートを設け、当該ゲートを通過する利用者を認証するセキュリティシステムが導入されている。そして、セキュリティシステムを備えた群管理エレベータ装置では、セキュリティシステムによって認証された利用者に固有の個人ＩＤを含む照合情報に基づいてエレベータの行き先階呼び登録が行われる（例えば、特許文献１参照）。
【０００３】
特許文献１には、「利用者を認証する第１の個人認証装置と、利用者に固有の個人ＩＤを含む照合情報に基づいてエレベータの行き先階呼び登録を行う乗り場呼び登録装置本体と、利用者が行き先階呼び登録の行き先階の変更及びキャンセルのうち少なくともいずれか一方を行うための操作を受け付ける行き先階変更装置と、を備える。乗り場呼び登録装置本体は、行き先階変更装置への操作内容に基づいて、操作が第１の個人認証装置において認証された利用者によるものであると判断される場合に、行き先階呼び登録の行き先階の変更やキャンセルを行う。」と記載されている。
【先行技術文献】
【特許文献】
【０００４】
【特許文献１】国際公開第２０１２／００８０２４号
【発明の概要】
【発明が解決しようとする課題】
【０００５】
ところで、乗り場近傍の構成が多様化すると、行き先階登録を行った後に、一度、乗り場に入場した利用者が、何等かの理由で乗り場から退場する場合がある。このとき、乗り場から退場した利用者が行き先階の変更操作を行わないと、実際には利用者がいない行き先呼びが登録されることになる。そして、他に利用者がいない場合には、エレベータの無駄な停止が発生して運行効率が低下することになる。特許文献１に記載の群管理エレベータ装置では、乗り場に入場した利用者が、何等かの理由で乗り場から退場してしまった場合については考慮されていない。
【０００６】
本発明は、乗り場に入場した利用者が、何等かの理由で乗り場から退場することが原因で発生する無駄な停止を抑制して運行効率の向上を図ることができるエレベータ装置及びエレベータ装置の制御方法を提供することを目的とする。
【課題を解決するための手段】
【０００７】
上記課題を解決するために、例えば特許請求の範囲に記載の構成を採用する。
本願は、上記課題を解決する手段を複数含んでいるが、その一例を挙げるならば、
利用者のＩＤ情報を読み取る情報読取端末装置と、
情報読取端末装置によって読み取られたＩＤ情報を照合し、事前に登録されているＩＤ情報か否かを判定する登録ＩＤ管理処理部、乗り場へ入場する利用者を判定する入場者判定処理部、乗り場から退場する利用者を判定する退場者判定処理部、及びＩＤ情報を基に行き先階登録情報及び利用者の入場／退場情報を含むサービス要求をエレベータ側へ送信するサービス要求送信部を有するセキュリティシステムと、
サービス要求に対して、複数台のエレベータの中から最適なエレベータを選択し、エレベータの運行管理を実施する群管理制御部と、
を備える。そして、群管理制御部は、
サービス要求送信部によって送信される行き先階登録情報に基づいて出発階／行き先階別に利用者の人数を集計し、入場／退場情報に基づいて、入場者と判定した場合は利用者人数分加算し、退場者と判定した場合は利用者人数分減算する利用人数統計処理部と、
利用人数統計処理部により出発階または行き先階に関する利用者人数が０となったときに当該行き先階の登録またはその呼び登録をキャンセルする行き先呼びキャンセル対象判定処理部と、を有し、
行き先呼びキャンセル対象判定処理部は、呼び登録に対して割り当てられたエレベータが行き先階呼びの出発階へ応答中であるとき、行き先階の登録をキャンセルし、呼び登録に対して割り当てられたエレベータが行き先階呼びの出発階へ応答中でないとき、呼び登録をキャンセルする
ことを特徴とする。
【発明の効果】
【０００８】
本発明によれば、乗り場に入場した利用者が、何等かの理由で乗り場から退場した場合であっても、エレベータの無駄な停止を抑制して運行効率の向上を図ることができる。
上記した以外の課題、構成及び効果は、以下の実施形態の説明により明らかにされる。
【図面の簡単な説明】
【０００９】
【図１】本発明の一実施形態に係る群管理エレベータ装置のシステム構成の概略を示すブロック図の例である。
【図２】利用者の入場時の場合のエレベータ乗り場の構成の一例を示す概略平面図の例である。
【図３】利用者の退場時の場合のエレベータ乗り場の構成の一例を示す概略平面図の例である。
【図４】エレベータ乗り場と同じフロアに会議室が存在する場合のエレベータ乗り場周辺の構成の一例を示す概略平面図の例である。の例である。
【図５】運行管理制御系におけるキャンセル処理の流れの一例を示すフローチャートの例である。
【発明を実施するための形態】
【００１０】
以下、本発明を実施するための形態（以下、「実施形態」と記述する）について図面を用いて詳細に説明する。本発明は実施形態に限定されるものではなく、実施形態における種々の数値等は例示である。本明細書及び図面において、同一の構成要素又は実質的に同一の機能を有する構成要素には同一の符号を付することとし、重複する説明は省略する。
【００１１】
＜本発明の一実施形態に係る群管理エレベータ装置＞
本発明の一実施形態に係る群管理エレベータ装置は、複数台のエレベータを一括管理する群管理システムの構成を採るとともに、乗り場の出入口にゲートを設け、当該ゲートを通過する利用者を認証するセキュリティシステムを備えている。
【００１２】
[システム構成]
図１は、本発明の一実施形態に係る群管理エレベータ装置のシステム構成の概略を示すブロック図の例である。本実施形態に係る群管理エレベータ装置１０は、乗り場行き先階登録装置１と、情報読取端末装置２と、乗り場行き先階読取部３と、ゲート制御部４と、セキュリティシステム５と、エレベータ部６と、エレベータ制御部７と、群管理制御部８と、入出力制御部９と、を備えるシステム構成となっている。以下では、エレベータ部６の個々のエレベータを「号機」と呼ぶ場合がある。
【００１３】
（乗り場行き先階登録装置）
乗り場行き先階登録装置１は、エレベータ乗り場（以下、単に「乗り場」と記述する場合がある）にて利用者が行き先階呼び登録を行うための装置である。より具体的には、乗り場行き先階登録装置１は、例えば液晶パネル付のテンキー装置や、タッチパネル式の登録装置等からなり、乗り場に配置される。乗り場行き先階登録装置１は、乗り場から利用者が行き先階を入力することで、群管理制御部８に対してエレベータのサービス要求を送信する。
【００１４】
乗り場行き先階登録装置１における登録方式としては、ＩＤ情報のみを取得し、セキュリティシステム５と連携することで、事前に登録されたＩＤ情報に基づいて行き先階を登録する方式を例示することができる。更に、情報媒体自体にＩＤ情報及び行き先階情報を記憶させておき、その行き先階情報を読み取り、登録する方式を例示することができる。本実施形態においては、ＩＤ情報は、セキュリティシステム５における入退出管理にのみ使用される。
【００１５】
（情報読取端末装置）
情報読取端末装置２は、利用者が所持しているＩＣタグやカードなどの情報媒体から予め登録したＩＤ情報を読み取る（読み込む）装置である。情報読取端末装置２は、後述するゲートに設置されており、利用者が所持している情報媒体から予め登録したＩＤ情報を読み込んだとき、利用者がゲートを通過してエレベータ乗降口へと進むことができるようにするための機能を有している。
【００１６】
情報読取端末装置２としては、例えばカードリーダや、ＮＦＣ(Near Field Communication)リーダーによって利用者が持ち込んだＩＤカードや携帯端末より直接情報を取得する構成のものを例示することができる。更に、Ｗｉ-Ｆｉ(Wireless Fidelity、登録商標)機器やＢｌｕｅｔｏｏｔｈ（登録商標）を通じて携帯端末より情報を取得する構成のものを例示することができる。
【００１７】
（乗り場行き先階読取部）
乗り場行き先階読取部３は、情報読取部３１及び報知部３２などを有し、乗り場行き先階登録装置１及び情報読取端末装置２に接続されている。情報読取部３１は、情報読取端末装置２が読み取った情報媒体に記憶されている情報を取り込む。乗り場行き先階読取部３は、情報読取部３１が取り込んだ情報を入出力制御部９へ送信する。報知部３２は、群管理制御部８から入出力制御部９を介して割当て号機情報を受け取ったとき、利用者にそれを告知（通知）するためのものである。
【００１８】
例えば、２階設置の乗り場行き先階登録装置１において、利用者が５階の行き先階を入力すると、情報読取部３１が出発階が２階、行き先階が５階という情報を読み取り、報知部３２が入力された行き先階を表示する。報知部３２は、液晶表示装置や有機ＥＬ(Electro Luminescence)表示装置等のディスプレイによって構成され、５階と入力された場合、例えば“５”と出力する。また、報知部３２は、群管理制御部８において割当て号機が例えば１号機に決定された場合、その割当て号機情報に基づいて“１”との表記を行う。
【００１９】
（ゲート制御部）
ゲート制御部４は、情報読取部４１、ゲート開閉部４２及び表示灯制御部４３などを備えている。情報読取部４１は、エレベータ乗り場に至る後述するゲートを通過する利用者のＩＤ情報を情報読取端末装置２が読み取ったとき、その読み取った利用者のＩＤ情報を情報読取端末装置２から受け取る。ゲート開閉部４２は、情報読取部４１が利用者のＩＤ情報を受け取ったとき、エレベータ乗降口（エレベータ乗り場）に至るゲートを開くように制御する。表示灯制御部４３は、利用者を案内する表示灯を制御する。
【００２０】
本実施形態では、乗り場行き先階読取部３の情報読取部３１と、ゲート制御部４の情報読取部４１とを別構成として説明したが、同一構成とすることも可能である。
【００２１】
（セキュリティシステム）
セキュリティシステム５は、入力情報受信処理部５１、入場者判定処理部５２、退場者判定処理部５３、登録ＩＤ管理処理部５４、エレベータ情報送信処理部５５及びゲート制御処理部５６を備えており、入出力制御部９との間で信号の授受を行う。
【００２２】
入力情報受信処理部５１は、セキュリティに関連する信号（例えば、ＩＤ情報）を入出力制御部９から受信する。入場者判定処理部５２は、後述するゲートに設置されている情報読取端末装置２からの信号により入場者を検出する。退場者判定処理部５３は、ゲートに設置されている情報読取端末装置２からの信号により退場者を検出する。ゲートにおける入場者／退場者の詳細については後述する。登録ＩＤ管理処理部５４は、情報読取端末装置２で読み取った利用者のＩＤ情報が予め登録されているＩＤ情報であるときに、そのＩＤ情報と出発階と行き先階と利用者属性などの登録情報を抽出する。利用者属性としては、性別や車椅子利用者などを例示することができる。
【００２３】
エレベータ情報送信処理部５５は、情報読取端末装置２で読み取った利用者のＩＤ情報を基に行き先登録情報及び利用者の入場／退場情報を含むサービス要求をエレベータ側へ送信するサービス要求送信部である。具体的には、エレベータ情報送信処理部５５は、登録ＩＤ管理処理部５４で抽出した登録情報に入場者または退場者の判別情報を付加して群管理制御部８へ送信する。ゲート制御処理部５６は、入場者判定処理部５２または退場者判定処理部５３で検出があったとき、入出力制御部９を介してゲート制御部４にゲート開閉信号を与える。
【００２４】
上述したセキュリティシステム５の各機能部（５１〜５６）については、プロセッサがそれぞれの機能を実現するプログラムを解釈し、実行することにより、ソフトウェアで実現することができる。このとき、機能部（５１〜５６）の各機能を実現するプログラム、テーブル、ファイル等の情報は、メモリや、ハードディスク、ＳＳＤ（Solid State Drive）等の記録装置、またはＩＣカード、ＳＤカード、ＤＶＤ等の記録媒体に記録することができる。また、上記のセキュリティシステム５の各機能部（５１〜５６）については、それらの一部または全部を、例えば集積回路で設計する等によって、ハードウェアで実現することも可能である。
【００２５】
（エレベータ部）
エレベータ部６は、Ｎ台のエレベータ６_1，・・・，６_nを有する。エレベータ部６のＮ台のエレベータ６_1，・・・，６_nは、群管理制御部８による制御の下に、一括管理され、待ち時間等の観点から利用者に最適な号機（エレベータ）の割当てが行われる。エレベータ部６の各エレベータ６_1，・・・，６_nは、例えば、昇降路内に設置された乗りかご６１と釣合い錘６２とが主ロープ（主索）６３の両端に結合され、当該主ロープ６３が巻上機の綱車６４やプーリ６５に巻き掛けられた周知の構成となっている。
【００２６】
（エレベータ制御部）
エレベータ制御部７は、エレベータ６_1，・・・，６_nの各々に対応して設けられた号機制御部７１_1，・・・，７１_nから構成されている。エレベータ制御部７の号機制御部７１_1，・・・，７１_nは、各エレベータ６_1，・・・，６_nの運行を制御する。より具体的には、号機制御部７１_1，・・・，７１_nは、主に、昇降路内に設置された乗りかご６１に対して、各階への走行指令や戸開閉指令により各エレベータ６_1，・・・，６_nの運行を制御する。
【００２７】
（群管理制御部）
群管理制御部８は、運行管理制御系（運行管理制御部）８１、学習系８２及び知能系８３を有する構成となっている。運行管理制御系８１は、エレベータ部６の複数台（Ｎ台）のエレベータ６_1，・・・，６_nの運行管理を行う。学習系８２は、日々の運行管理によって収集した情報からどの運転プログラムが最適であるかを判断する、あるいは、日々の階床別運行状況を学習することで、各出発階毎に混雑する行先階を学習し、高需要階を算出する。知能系８３は、学習系８２によって収集された情報よりシミュレーションを行って、最適な運転プログラムを自動生成する。
【００２８】
群管理制御部８において、運行管理制御系８１は、入力受信処理部８１_1と、退場者情報判定処理部８１_2と、利用人数統計処理部８１_3と、行き先呼びキャンセル対象判定処理部８１_4と、割当て指令処理部８１_5と、の各機能部を有する。図１では、群管理制御部８における運行管理制御系８１の各機能部８１_1〜８１_5、学習系８２及び知能系８３について、機能ブロックとして図示している。
【００２９】
群管理制御部８において、入力受信処理部８１_1は、乗り場行き先階読取部３、ゲート制御部４及びセキュリティシステム５から、入出力制御部９を介して各種の信号を受信する。退場者情報判定処理部８１_2は、入力受信処理部８１_1で受信したセキュリティシステム５からの信号の中に、同じＩＤの入場者信号／退場者信号が含まれているか否かによってキャンセル対象か登録対象かを判定する。
【００３０】
利用人数統計処理部８１_3は、出発階及び行き先階別の利用人数を集計する。具体的には、退場者情報判定処理部８１_2による判定結果が登録対象者であった場合、利用人数統計処理部８１_3は、受信した出発階及び行き先階情報に基づいて利用者情報を「＋１」として統計データを更新する。一方、退場者情報判定処理部８１_2による判定結果が退場対象者であった場合、利用人数統計処理部８１_3は、受信した出発階及び行き先階情報に基づいて利用者情報を「−１」として統計データを更新する。
【００３１】
行き先呼びキャンセル対象判定処理部８１_4は、利用人数統計処理部８１_3における統計更新によって利用者が「０」となった場合、行き先呼びをキャンセルする。割当て指令処理部８１_5は、エレベータ部６の各エレベータ６_1，・・・，６_nの割当てに関する処理を行う。
【００３２】
上述した群管理制御部８における運行管理制御系８１の各機能部８１_1〜８１_5、学習系８２及び知能系８３については、プロセッサがそれぞれの機能を実現するプログラムを解釈し、実行することにより、ソフトウェアで実現することができる。このとき、機能部８１_1〜８１_5の各機能を実現するプログラム、テーブル、ファイル等の情報は、メモリや、ハードディスク、ＳＳＤ等の記録装置、またはＩＣカード、ＳＤカード、ＤＶＤ等の記録媒体に記録することができる。また、上記の運行管理制御系８１の各機能部８１_1〜８１_5、学習系８２及び知能系８３については、それらの一部または全部を、例えば集積回路で設計する等によって、ハードウェアで実現することも可能である。
【００３３】
（入出力制御部の機能）
入出力制御部９は、入出力インターフェースである乗り場行き先階読取部３、ゲート制御部４及びセキュリティシステム５と群管理制御部８との間でのデータ送受信の補助の役割を担う。
【００３４】
（エレベータ乗り場の構成）
図２は、利用者の入場時の場合のエレベータ乗り場の構成の一例を示す概略平面図の例である。図３は、利用者の退場時の場合のエレベータ乗り場の構成の一例を示す概略平面図の例である。
【００３５】
各号機（エレベータ）６_1，・・・，６_nの乗降口に至る乗り場には、利用者が通過して行く複数台、例えば４台のゲート４４_1〜４４_4が配置されている。各ゲート４４_1〜４４_4の入場側には、近づいてきた利用者（入場者）Ｍ１が所持している情報媒体からＩＤ情報を読み込む入場用個人情報読取端末装置２Ａが設けられている。また、各ゲート４４_1〜４４_4の退場側には、近づいてきた利用者（退場者）Ｍ２が所持している情報媒体からＩＤ情報を読み込む退場用個人情報読取端末装置２Ｂが設けられている。入場用個人情報読取端末装置２Ａ及び退場用個人情報読取端末装置２Ｂは、図１の情報読取端末装置２に属する。
【００３６】
［各部の処理動作］
次に、各部の処理動作について説明する。
図１において、乗り場行き先階登録装置１及び情報読取端末装置２は、利用者がエレベータ乗り場に到着する検出を行っている。そして、図２に示すように、例えばゲート４４_1に利用者Ｍ１が近づいてくると、入場用個人情報読取端末装置２Ａによって利用者Ｍ１が所持する情報媒体からＩＤ情報の読み込みが行われる。このＩＤ情報は、乗り場行き先階読取部３からセキュリティシステム５の入力情報受信処理部５１を通して入場者判定処理部５２に与えられる。
【００３７】
入場者判定処理部５２は、入力情報受信処理部５１を通して与えられるＩＤ情報が、登録ＩＤ管理処理部５４に登録されているＩＤ情報であるか否かを判定する。既に登録されたＩＤ情報であった場合、ゲート制御処理部５６から入出力制御部９を介してゲート制御部４にゲート開信号が与えられる。これを受けて、ゲート制御部４は、ゲート開閉部４２にゲート開信号を与え、ゲート４４_1を開状態とする。これにより、図２に示した利用者Ｍ１は、開状態のゲート４４_1から入場することができる。
【００３８】
一方、セキュリティシステム５の入場者判定処理部５２は、ＩＤ情報に対応する出発階、行き先階、利用者属性などの登録情報を抽出し、例えば１バイト構成の０ｘ００として、入場者信号に登録情報を付加して、エレベータ情報送信処理部５５から入出力制御部９を介して群管理制御部８に送信する。
【００３９】
群管理制御部８は、行き先階の自動登録による周知の号機割当て処理とは別に、セキュリティシステム５からの信号を運行管理制御系８１の入力受信処理部８１_1が受信して、運行管理制御系８１の登録処理を開始する。
【００４０】
また、ゲート４４_1を通過してエレベータ乗降口側に向かった利用者Ｍ２が、何等かの理由で、図３に示すように、例えば４４_1ゲートから退場しようとした場合に、退場用個人情報読取端末装置２Ｂによって利用者Ｍ２が所持する情報媒体からＩＤ情報の読み込みが行われる。このＩＤ情報は、乗り場行き先階読取部３からセキュリティシステム５の入力情報受信処理部５１を通して退場者判定処理部５３に与えられる。
【００４１】
このとき、退場者判定処理部５３は、既に入場者としてＩＤ情報が検出されているためキャンセル対象の退場者と判定し、例えば１バイト構成の０ｘ８０として退場者信号に、出発階、行き先階情報を付加して、エレベータ情報送信処理部５５から入出力制御部９を介して運行管理制御系８１の入力受信処理部８１_1に送信する。そして、この信号を入力受信処理部８１_1が受信することで、運行管理制御系８１において割当て号機のキャンセル処理が開始される。
【００４２】
［エレベータの無駄な停止による運行効率の低下について］
ここで、行き先階登録を行った後に、ゲート４４_1〜４４_4を通過してエレベータ乗降口側に向かった利用者が、上述したように、何等かの理由でゲート４４_1〜４４_4から退場してしまうことがある。このとき、ゲート４４_1〜４４_4を出た利用者が行き先階の変更操作を行わないと、実際には利用者がいない行き先呼びが登録されることになる。そして、他に利用者がいない場合には、エレベータの無駄な停止が発生して運行効率が低下することになる。
【００４３】
何等かの理由としては、ゲート４４_1〜４４_4を通過してエレベータ乗降口側に向かった利用者が、忘れ物に気付いて引き返したり、近くにあるトイレやコンビニエンスストアーなどへ向かったりする場合などが考えられる。ここでは、何等かの理由でゲート４４_1〜４４_4から退場してしまった場合のエレベータの無駄な停止による運行効率の低下について説明したが、エレベータの無駄な停止による運行効率の低下は、ゲート４４_1〜４４_4から退場してしまった場合に限られるものではない。
【００４４】
他の例について、図４を用いて説明する。図４は、エレベータ乗り場と同じフロアに会議室が存在する場合のエレベータ乗り場周辺の構成の一例を示す概略平面図の例である。ここでは、エレベータ乗り場と同じフロアで、エレベータ部（エレベータ室）６の裏側に例えば２つの会議室Ａ，Ｂが存在する場合を例示する。会議室Ａ，Ｂの入り口の近傍には、カードリーダ等の入室用個人情報読取端末装置２Ｃ，２Ｄが設置されている。入室用個人情報読取端末装置２Ｃ，２Ｄは、図１の情報読取端末装置２に属する。
【００４５】
他の例としては、図４に示すように、エレベータ乗り場と同じフロアに例えば２つの会議室Ａ，Ｂが存在する建物において、ゲート４４_1〜４４_4を通過してエレベータ乗降口側に向かった利用者が例えば会議室Ａに入室する場合を例示することができる。この例の場合にも、利用者Ｍ１が行き先階の変更操作を行わないと、実際には利用者がいない行き先呼びが登録されることになるため、エレベータの無駄な停止が発生し、運行効率の低下を招くことになる。
【００４６】
会議室Ａの入り口近傍に設けられた入室用個人情報読取端末装置２Ｃは、図４に示すように、例えばゲート４４_1を通過した利用者Ｍ１が会議室Ａに入室しようとするとき、利用者Ｍ１が所持する情報媒体からＩＤ情報を読み取る。このＩＤ情報は、乗り場行き先階読取部３からセキュリティシステム５の入力情報受信処理部５１を通して退場者判定処理部５３に与えられる。
【００４７】
退場者判定処理部５３は、入力情報受信処理部５１を通して与えられるＩＤ情報が、登録ＩＤ管理処理部５４に登録されているＩＤ情報であるか否かを判定する。既に登録されたＩＤ情報であった場合、ゲート制御処理部５６から入出力制御部９を介してゲート制御部４にドア開信号が与えられる。ここでは、ゲート制御部４は、ゲート４４_1〜４４_4の開閉制御のみならず、会議室Ａ，Ｂのドアの開閉制御も行うものとする。
【００４８】
ゲート制御処理部５６からのドア開信号を受けて、ゲート制御部４は、ゲート開閉部４２にドア開信号を与え、会議室Ａのドアを開状態とする。これにより、図４に示した利用者Ｍ１は、会議室Ａに入室可能となる。一方、セキュリティシステム５の退場者判定処理部５３は、利用者Ｍ１がエレベータ６_1，・・・，６_nを利用せず、会議室Ａに入室したことで退場者と判定し、利用者Ｍ１が会議室Ａに入室した情報をエレベータ情報送信処理部５５から入出力制御部９を介して群管理制御部８の入力受信処理部８１_1に送信する。そして、利用者Ｍ１が会議室Ａに入室した情報を入力受信処理部８１_1が受信することにより、運行管理制御系８１において割当て号機のキャンセル処理が開始される。
【００４９】
但し、会議室Ａに入室した利用者Ｍ１が短時間で会議室Ａから退室し、そのままエレベータを利用する場合がある。このような場合を想定して、ゲート４４_1〜４４_4を通過してエレベータ乗降口側に向かった各利用者を、ゲート４４_1〜４４_4を通過した時点から所定時間だけ継続して監視する必要がある。この監視により、会議室Ａに入室した利用者Ｍ１が所定時間内に会議室Ａから退室した場合には、キャンセル対象の退場者として扱わないようにする。
【００５０】
また、上述した会議室への入場を検出することにより、乗り場からの退場者を判定する構成以外に、別バンクへのエレベータ乗り場へ入場した場合も検出の対象としても良い。例えば、低層バンクのエレベータ乗り場への入場する際に、低層バンクへ自動登録を実施し、同一階から同一ＩＤによって、高層バンクの入場を検出した場合、先に自動登録を実施した低層バンクの呼び登録をキャンセル対象とする。また、会議室以外の居室でもよく、さらに、お手洗いなどの居室以外に入室用個人情報読取端末装置を設置して、それらの場所への入場を検出しても良い。このように、乗り場以外の場所への入場を検出して、乗り場からの退場と判定して良い。
【００５１】
［運行管理制御系におけるキャンセル処理］
次に、本発明のエレベータ装置の制御方法の一例である、運行管理制御系８１におけるキャンセル処理について、図５のフローチャートを用いて説明する。図５は、運行管理制御系８１におけるキャンセル処理の流れの一例を示すフローチャートの例である。以下に説明するキャンセル処理フローは、群管理制御部８において、運行管理制御系８１による制御の下に実行される処理フローとなる。
【００５２】
運行管理制御系８１において、入力受信処理部８１_1は、セキュリティシステム５から送信されるセキュリティ情報を受信する（ステップＳ１）。ここで、図２に示したゲート４４_1を利用者Ｍ１が入場した後、図３に示すようにゲート４４_1を利用者Ｍ２が退場したとする。このとき、入場した利用者Ｍ１と退場した利用者Ｍ２が同一人物であることも考えられる。例えば、入場した利用者Ｍ１が、忘れ物に気付いてすぐに引き返した場合などである。
【００５３】
この退場する利用者Ｍ２がゲートゲート４４_1に近づくと、退場用個人情報読取端末装置２Ｂは利用者Ｍ２が所持する情報媒体からＩＤ情報を読み込む。この読み込まれたＩＤ情報は、図１に示した乗り場行き先階読取部３から、入出力制御部９を介してセキュリティシステム５に与えられ、更に入力情報受信処理部５１を通して退場者判定処理部５３に与えられる。
【００５４】
退場者判定処理部５３では、このＩＤ情報が登録ＩＤ管理処理部５４に登録されているＩＤ情報であるか否かを判定する。既に登録されたＩＤ情報であった場合、ゲート制御処理部５６は、入出力制御部９を介してゲート制御部４にゲート開信号を与える。すると、ゲート制御部４は、ゲート開閉部４２にゲート開信号を与え、ゲート４４_1を開状態とする。これにより、図３に示した利用者Ｍ２は、開状態のゲート４４_1から退場することができる。
【００５５】
このとき、退場者判定処理部５３は、入力情報受信処理部５１を通して与えられる信号が、退場用個人情報読取端末装置２Ｂからの退場者情報であると判定し、当該退場者情報を群管理制御部８へ送信する。なお、セキュリティシステム５から群管理制御部８へ送信する入退場者情報としては、例えば１バイト構成の信号で入場者の場合０ｘ００、退場者の場合０ｘ８０の信号である。こうして送信された信号は、群管理制御部８内の運行管理制御系８１の入力受信処理部８１_1によって受信処理される。
【００５６】
入力受信処理部８１_1が入退場者情報を受信すると、退場者情報判定処理部８１_2は、その受信した入退場者情報が、退場者情報であるか否か判定する（ステップＳ２）。退場者情報判定処理部８１_2は、キャンセル対象の退場者情報を受信したと判定すると（Ｓ２のＹＥＳ）、利用人数統計処理部８１_3は、退場者の出発階及び行き先階をセットし、その出発階及び行き先階情報に基づいて利用者情報を「−１」として統計データを更新する（ステップＳ３）。キャンセル対象の退場者情報でない場合（Ｓ２のＮＯ）、本処理を終了する。
【００５７】
次いで、行き先呼びキャンセル対象判定処理部８１_4は、キャンセル対象となった退場者の対象階において、既に登録されている利用者人数が０となるか否かを判定する（ステップＳ４）。判定の結果、利用者人数が０となる場合（Ｓ４のＹＥＳ）、行き先呼びキャンセル対象判定処理部８１_4は、当該行き先階呼びをキャンセル候補とする（ステップＳ５）。一方、判定の結果、利用人数が０とならない場合（Ｓ４のＮＯ）、行き先呼びキャンセル対象判定処理部８１_4は、当該出発階及び当該行き先階の利用者人数をそれぞれ一人減らし（ステップＳ６）、本処理を終了する。
【００５８】
次いで、行き先呼びキャンセル対象判定処理部８１_4は、当該行き先階呼びの応答予定号機が既に本呼び（行き先階呼び）に応答中であるか否かを判定する（ステップＳ７）。その判定の結果、本呼びに応答中であれば（Ｓ７のＹＥＳ）、行き先呼びキャンセル対象判定処理部８１_4は、割り当て指令処理部８１_5を通して当該行き先階の登録のみをキャンセルし（ステップＳ８）、本処理を終了する。しかし、その判定の結果、本呼びに応答中でなければ（Ｓ７のＮＯ）、行き先呼びキャンセル対象判定処理部８１_4は、割り当て指令処理部８１_5を通して当該呼び登録そのものをキャンセルし（ステップＳ９）、本処理を終了する。
【００５９】
入力情報受信処理部５１で受信した信号が、退場者判定処理部５３で入場用個人情報読取端末装置２Ａからの信号であると判定されると、退場者判定処理部５３では、一度、ゲート４４_1〜４４_4を通過してエレベータ乗降口側に移動した各利用者を所定時間だけ継続して監視する。
【００６０】
この退場者判定処理部５３による監視処理では、ゲート４４_1〜４４_4からエレベータ乗降口へ一度入場した利用者が、何等かの理由で、図３に示すように、ゲート４４_1〜４４_4から退場するかが監視される。このようなことが発生する状況としては、例えば、忘れ物に気付いて引き返したり、近くにあるトイレやコンビニエンスストアーなどへ向かったりすることなどが考えられる。更には、エレベータ乗り場と同じフロアに会議室が存在する場合に、エレベータ乗降口へ一度入場した利用者が、図４に示すように、エレベータを利用せずに会議室を利用したりすることが考えられる。
【００６１】
退場者判定処理部５３による監視処理では、継続監視の時間（所定時間）が経過するとキャンセル対象としての退場者の判定は行われない。したがって、エレベータを利用して行き先階へ移動した利用者が、再びエレベータを利用して出発階へ戻り、ゲート４４_1〜４４_4から出てもキャンセル対象とはならない。
【００６２】
また、ゲート４４_1からエレベータ乗降口へ一度入った同じ利用者が、ゲート４４_1〜４４_4のいずれかを通って退場したことは、入場用個人情報読取端末装置２ＡによるＩＤ情報の読み取り後に、退場用個人情報読取端末装置２ＢによるＩＤ情報の読み取りによって判別している。但し、この方法は一例であり、これに限られるものではない。例えば、情報読取端末装置２を一台だけ設置し、継続監視する所定時間内に再び情報読取端末装置２によって同じＩＤ情報が検出されたことによって判別する方法や、その他の方法などを適用することもできる。
【００６３】
以上説明したように、本発明の群管理エレベータ装置１０は、セキュリティシステム５に、一度、ゲート４４_1〜４４_4を通過した同じ利用者がゲート４４_1〜４４_4から出てキャンセル対象の退場者となったことを検出する退場者判定処理部５３を備えている。また、群管理エレベータ装置１０は、群管理制御部８に、退場者判定処理部５３が検出したキャンセル対象の退場者情報を判定する退場者情報判定処理部８１_2を備えている。群管理エレベータ装置１０は更に、群管理制御部８に、キャンセル対象の退場者の出発階及び行き先階に関する利用者統計データを更新する利用人数統計処理部８１_3と、利用者統計データが０となったときに当該行き先階または当該呼び登録をキャンセルする行き先呼びキャンセル対象判定処理部８１_4を備えている。
【００６４】
したがって、本発明の群管理エレベータ装置１０によれば、一度、ゲート４４_1〜４４_4を通過した利用者が、何等かの理由でゲート４４_1〜４４_4から退場した場合に、キャンセル対象の退場者となったことを検出することができる。そして、割り当てられた号機を利用できないとき、行き先階呼びそのものや行き先階の登録をキャンセルすることができるために、号機（エレベータ）の無駄な停止を抑制して運行効率の向上を図ることができる。
【００６５】
なお、本発明は、上記した実施形態に限定されるものではなく、様々な変形例が含まれる。例えば、上記した実施形態は本発明を分かりやすく説明するために詳細したものであり、必ずしも全ての構成を備えるものに限定されるものではない。
【００６６】
また、上記した実施形態では、ゲート４４_1〜４４_4等のセキュリティゲートと連動する構成にて説明したが、ゲートのみならず、カード情報や、利用者が持ち込む携帯端末をフロアの入退出管理システムとエレベータが連動している場合にも応用可能である。すなわち、入退出を判定し、エレベータを利用する乗り場へ入場したか、退場したかを判定可能であれば、フロアの入退出管理システム側に、入場者判定処理部５２、退場者判定処理部５３、登録ＩＤ管理処理部５４、及びエレベータ情報送信処理部５５の各機能部を備えることで、号機（エレベータ）の無駄な停止を抑制して運行効率の向上を図ることができる。
【符号の説明】
【００６７】
１…乗り場行き先階登録装置、  ２…情報読取端末装置、  ２Ａ…入場用個人情報読取端末装置、  ２Ｂ…退場用個人情報読取端末装置、２Ｃ，２Ｄ…入室用個人情報読取端末装置、  ３…乗り場行き先階読取部、  ４…ゲート制御部、  ５…セキュリティシステム、  ６…エレベータ部、  ６_1，・・・，６_n…エレベータ（号機）、  ７…エレベータ制御部、  ８…群管理制御部、  ９…入出力制御部、  １０…群管理エレベータ装置、  ４２…ゲート開閉部、  ４４_1〜４４_4…ゲート、  ５１…入力情報受信処理部、  ５２…入場者判定処理部、  ５３…退場者判定処理部、  ５４…登録ＩＤ管理処理部、  ５５…エレベータ情報送信処理部、  ５６…ゲート制御処理部、  ８１_1…入力受信処理部、  ８１_2…退場者情報判定処理部、  ８１_3…利用人数統計処理部、  ８１_4…行き先呼びキャンセル対象判定処理部、  ８１_5…割当て指令処理部 
【図１】
0006420210.tif 000002
【図２】
0006420210.tif 000003
【図３】
0006420210.tif 000004
【図４】
0006420210.tif 000005
【図５】
0006420210.tif 000006